(57)【要約】      （修正有）【課題】持ちやすい食器を提供する。【解決手段】皿１は、陶磁器本体２と、手で持つ位置に設けられた、珪酸化合物を主成分とする突起７とを有する。陶磁器本体２は、器部３と、傾斜縁４と、釉薬層５と、土台６とを有する。また、突起７は、珪酸化合物を主成分としており、突起７が設けられた位置において、釉薬層５と接触する土台６の表面が略水平となっている。【選択図】図１
0003223452.tif 000002
【実用新案登録請求の範囲】
【請求項１】
陶磁器本体と、
前記陶磁器本体の手で持つ位置に設けられた、珪酸化合物又は硼珪酸ガラスを主成分とする突起物と
を有する食器。
【請求項２】
前記突起物が前記陶磁器本体の外側に設けられた
請求項１に記載の食器。
【請求項３】
前記突起物が設けられた位置において、珪酸化合物を主成分とする層と接触する前記陶磁器本体の土台の表面が略水平である
請求項２に記載の食器。
【請求項４】
前記突起物は、粒状、又は、線状であり、
前記突起物の高さは、５ｍｍ以下である
請求項３に記載の食器。
【請求項５】
前記陶磁器本体は、皿であり、
前記突起物は、前記陶磁器本体の周縁に設けられ、当該陶磁器本体の外縁と並行すると共に、複数の当該突起物が連なるよう並んでいる
請求項４に記載の食器。
【請求項６】
前記突起物は、前記陶磁器本体の外縁と並行して設けた列を複数配置することにより放射状に並んでおり、
放射状に並んだ前記突起物の複数の組のうち、少なくとも一組において、前記突起物は、当該突起物の高さ、直径、又は、これらの組合せにより、当該突起物の大きさを徐々に大きくした部分と、当該突起物の大きさを徐々に小さくした部分と、当該突起物の大きさを一定の大きさとした部分との少なくとも１つが配置されている
請求項５に記載の食器。
【考案の詳細な説明】
【技術分野】
【０００１】
本考案は、食器に関するものである。
【背景技術】
【０００２】
例えば、特許文献１には、食物収容本体の外側面の底部近傍が凸面に形成され、これに続いて糸尻が下方に筒状に突設されたお椀であって、該糸尻に近い底部近傍の凸面に指係止部を設けたことを特徴とするお椀が開示されている。
【０００３】
また、特許文献２には、陶磁器製食器素地の外周面を形成する石膏型の内周面に断面楔状の溝を略円周方向に多数本形成し、該石膏型に練り土状の坏土を投入して該石膏型を回転しつつへらで押し付けることにより素地を成形した後、脱水により収縮した素地を前記石膏型から取り出す成形方法により成形した食器が開示されている。
【先行技術文献】
【特許文献】
【０００４】
【特許文献１】特開平８−８４６４９号公報
【特許文献２】特開２０００−２８９００９号公報
【考案の概要】
【考案が解決しようとする課題】
【０００５】
本考案は、持ちやすい食器を提供することを目的とする。
【課題を解決するための手段】
【０００６】
本考案に係る食器は、陶磁器本体と、前記陶磁器本体の手で持つ位置に設けられた、珪酸化合物又は硼珪酸ガラスを主成分とする突起物とを有する。
【０００７】
好適には、前記突起物が前記陶磁器本体の外側に設けられている。
【０００８】
好適には、前記突起物が設けられた位置において、珪酸化合物を主成分とする層と接触する前記陶磁器本体の土台の表面が略水平である。
【０００９】
好適には、前記突起物は、粒状、又は、線状であり、前記突起物の高さは、５ｍｍ以下である。
【００１０】
好適には、前記陶磁器本体は、皿であり、前記突起物は、前記陶磁器本体の周縁に設けられ、当該陶磁器本体の外縁と並行すると共に、複数の当該突起物が連なるよう並んでいる。
【００１１】
好適には、前記突起物は、前記陶磁器本体の外縁と並行して設けた列を複数配置することにより放射状に並んでおり、放射状に並んだ前記突起物の複数の組のうち、少なくとも一組において、前記突起物は、当該突起物の高さ、直径、又は、これらの組合せにより、当該突起物の大きさを徐々に大きくした部分と、当該突起物の大きさを徐々に小さくした部分と、当該突起物の大きさを一定の大きさとした部分との少なくとも１つが配置されている。
【考案の効果】
【００１２】
本考案によれば、滑ることなく把持することができる。
【図面の簡単な説明】
【００１３】
【図１】皿１の構成を説明する斜視図と断面図である。
【図２】皿１の使用状態を説明する図である。
【図３】皿１の製造方法（Ｓ１０）を説明するフローチャートである。
【考案を実施するための形態】
【００１４】
以下、本考案に係る実施形態を、図面を参照して説明する。ただし、本考案の範囲は、図示例に限定されるものではない。
まず、実施例における皿１の構成を説明する。
図１（Ａ）は、皿１の構成を説明する斜視図である。また、図１（Ｂ）は、図１（Ａ）に例示する皿１の断面図である。
図１（Ａ）及び図１（Ｂ）に例示するように、本実施例における皿１は、平皿である。皿１は、本考案に係る食器の一例であり、平皿以外に、小皿、長皿、角皿、又は、丸皿等であっても良い。
皿１は、陶磁器本体２と突起７とにより構成されている。
陶磁器本体２は、陶磁器製の外形形状が円形である皿本体であり、器部３と、傾斜縁４と、釉薬層５と、土台６とを有する。
【００１５】
器部３は、一定以上の深さがある凹状又は凸状に形成された部分である。器部３は、料理を盛り付ける領域である。
【００１６】
傾斜縁４は、皿１において、器部３から傾斜した縁（鍔）であり、釉薬層５と土台６とを含んでいる。また、傾斜縁４は、器部３から連続的に形成されている。そして、傾斜縁４は、器部３から皿１の周縁に向かって広がるように形成されている。
また、傾斜縁４は、複数の突起７を有している。
【００１７】
釉薬層５は、珪酸化合物を主成分とする層である。釉薬層５は、珪酸化合物を主成分とする溶液（以下、釉薬Ａという。）を、後述する土台６全体に均一に塗布したものを焼成することにより形成されている。皿１の傾斜縁４における釉薬層５には、突起７を有している。
【００１８】
土台６は、陶磁器本体２の土台である。土台６の表面は、釉薬層５で覆われている。また、土台６は、粘土を皿１の形状に練り固め、練り固めた粘土を乾燥、及び、焼成させることにより形成されている。
また、図１（Ｂ）に例示するように、土台６は、釉薬層５と接触している。土台６の表面は、皿１の突起７が設けられた位置において、略水平となっている。
【００１９】
突起７は、皿１の傾斜縁４に形成された突起である。突起７は、釉薬粉、フラックス粉、又は、フラックス粉と顔料の混合粉（以下、釉薬粉等という。）を水で溶かした溶液（以下、釉薬Ｂという。）を突起状に塗布し、かつ、塗布した釉薬Ｂを焼成することによって、形成されている。なお、釉薬粉の主成分は、例えば珪酸化合物である。また、フラックス粉の主成分は、例えば硼珪酸ガラスである。
まず、突起７の位置を詳細に説明する。突起７は、皿１の手で持つ位置に設けられている。ここで、手で持つ位置とは、皿１の外側の全域、又は、皿１の外側の一部である。具体的には、皿１の外側の全域とは、皿１の傾斜縁４の表面側全体、又は、裏面側全体、を示し、皿１の外側の一部とは、皿１の側傾斜縁４の表面側の一部、又は、裏面側の一部を示す。なお、本実施例の突起７は、手で持つ位置として、皿１の傾斜縁４の表面全体、及び、裏面全体に形成されている。なお、皿１の表面側とは、料理を盛り付ける面である。
次に、突起７の形状を詳細に説明する。突起７の表面は、手に触れても痛くない程度に滑らかになっている。突起７の形状は、例えば、粒状、又は、線状の形状に形成されている。突起７の形状が粒状である場合、平面視における突起７は、例えば、略円形、又は、略楕円形等に形成される。また、突起７の形状が線状である場合、平面視における突起７の形状は、例えば、長円形、又は、略矩形等に形成される。なお、図１に例示した本実施例の突起７は、平面視で、略円形のものである粒状であり、その断面形状は、略半円形となっている。
【００２０】
次に、突起７の大きさを詳細に説明する。突起７の高さは、傾斜縁４の面に対して垂直方向において、５ｍｍ以下である。具体的には、突起７の高さは、０．０５ｍｍ以上２ｍｍ以下であり、より具体的には、突起７の高さは、０．１ｍｍ以上０．５ｍｍ以下である。なお、本例の突起７の高さは、０．１ｍｍ程度である。なお、突起７を主に滑り止めとして機能させる場合、突起７の直径を０．１ｍｍ以上０．５ｍｍ以下とすることが好ましく、また突起７を主に装飾として機能させる場合、突起７の直径を０.６ｍｍ以上５ｍｍ以下とすることが好ましい。
また、傾斜縁４と突起７とが接する位置において、突起７の直径は、１０ｍｍ以下である。本実施例の突起７の直径は、１ｍｍ以上４ｍｍ以下である。なお、突起７を主に滑り止めとして機能させる場合、突起７の直径を１ｍｍ以上４ｍｍ以下とすることが好ましく、また突起７を主に装飾として機能させる場合、突起７の直径を５ｍｍ以上１０ｍｍ以下とすることが好ましい。
【００２１】
次に、突起７の配列形態を詳細に説明する。突起７は、直線的に、又は、曲線的に複数配置されている。本実施例の突起７は、陶磁器本体２の直径方向において、直線的に一列に並んでいる。直線的に一列に並んだ突起７の組は、突起７の組の配列方向と皿１の直径方向とが同じ方向となるよう、器部３から傾斜縁４の外縁に向かって配置され、突起７の組全体として放射状となっている。また、突起７は、陶磁器本体２の円周方向において、皿１の外縁形状と並行して複数並んでいるとも換言できる。本実施例の突起７は、磁器本体２の外縁形状が円形であるため、陶磁器本体２の円周方向において、曲線的に一列に連なって並び輪状となっている。曲線的に一列に並んだ輪状の突起７の列は、複数あり、互いに異なる位置に並行して配置されている。
また、突起７の大きさは、突起７の直径、高さ、又は、これらの組合せにより定まる。本実施例の突起７は、直線的に一列に並んだ突起７の組において、全て同じ大きさとなっている。なお、直線的に一列に並んだ突起７の組において、突起７の直径、高さ、又は、これらの組合せを変えることにより、適宜大きさを変更することができる。例えば、直線的に一列に並んだ突起７の組において、突起７の大きさを徐々に大きくしてもよいし、突起７の大きさを徐々に小さくしてもよし、突起７の大きさを一定に揃えてもよい。また、これらを組み合わせて、直線的に一列に並んだ突起７の組全体として滑らかな凹凸形状を形成してもよい。なお、これに限定するものではなく、皿１の円形の外縁形状と並行した曲線的に一列に並んだ列においても同様に、適宜突起７の大きさを変更することもできる。このように、手指の凹凸形状に沿うように大きさの異なる突起７を複数設けることにより、滑り止めの効果の向上が期待できる。
また、突起７は、隣り合う２つの突起７が離間して設けられても、接触して設けられてもよい。本実施例の突起７は、隣り合う２つの突起７同士が離間している。具体的には、直線的に一列に並んだ突起７の組において、隣り合う位２つの突起７は、互いに突起７を１個分以上２個分以下程度離間している。即ち、隣り合う２つの突起７は、互いに２ｍｍ以上４ｍｍ以下程度離間している。また、曲線的に一列に並んだ輪状の突起７の列において、隣り合う２つの突起７は、互いに突起７を１個分以上３個分以下程度離間している。即ち、隣り合う２つの突起７は、互いに２ｍｍ以上６ｍｍ以下程度離間している。
【００２２】
図２は、図１（Ａ）に例示する皿１の使用状態を示す図である。
使用者は、親指と人差指とで皿１の傾斜縁４の一部を把持する。このとき、手で持つ位置である傾斜縁４に突起７があることによって、親指、及び、人差指の指先や側面が突起７に引っ掛かる。具体的には、親指、及び、人差指の指先や指の側面が、直線的に並んだ突起７に引っ掛かる。これにより、使用者は、皿１を滑り落とす事なく、安定して皿１を持つことができる。
【００２３】
次に、皿１の製造方法を説明する。
図３は、実施例１における皿１の製造方法（Ｓ１０）を説明するフローチャートである。
図３に例示するように、ステップ１００（Ｓ１００）において、まず、製造者は、粘土を皿の形に成形する。製造者は、皿の形に成形した粘土の傾斜縁４に相当する鍔部分を凹凸のない滑らかな表面にする。次に、製造者は、皿の形に成形した粘土を乾燥させる。
【００２４】
ステップ１０５（Ｓ１０５）において、製造者は、成形、及び、乾燥させた粘土を８００度以上１３００度以下の温度で焼成する。これにより、土台６が得られる。
【００２５】
ステップ１１０（Ｓ１１０）において、製造者は、土台６の表面全体に釉薬Ａを均一に塗布し、塗布した釉薬Ａを乾燥させる。
【００２６】
ステップ１１５（Ｓ１１５）において、製造者は、釉薬Ａを塗布し乾燥させた土台６を１０００度以上１４００以下の温度で焼成する。これにより、土台６の表面に釉薬層５が形成された陶磁器本体２が得られる。
【００２７】
ステップ１２０（Ｓ１２０）において、製造者は、シルクスクリーン印刷機を用いて、傾斜縁４の表面側及び裏面側の両面に対して釉薬Ｂを粒状に塗布する。製造者は、器部３から傾斜縁４の外縁に向かって放射状に釉薬Ｂを塗布する。このとき、釉薬Ｂを塗布する大きさは、同じ大きさとする。また、釉薬Ｂを塗布する位置において、土台６の表面が略水平となっている。次に、製造者は、塗布した釉薬Ｂを乾燥させる。
【００２８】
ステップ１２５（Ｓ１２５）において、製造者は、粒状に塗布した釉薬Ｂを乾燥させた土台６を７００度以上１４００度以下の温度で焼成する。これにより、突起７を有する皿１が得られる。
このように、製造者は、凹凸の無い滑らかな表面を有する土台６に突起７を設けた皿１を製造することができる。なお、本例の製造方法は、機械作業による場合を具体的に説明をしたが、手作業による場合でも可能である。また、製造者は、スクリーン印刷機で印刷された転写紙を使用し皿１に突起７を設けても良い。
【００２９】
以上説明したように、本実施例の皿１によれば、手で持つ位置である傾斜縁４に突起７を有することにより、使用者は、手から滑ることなく皿１を把持することができる。
また、製造者は、突起７が設けられた位置において、皿１の土台６の表面が略水平であるため、土台６の表面の形状に影響することなく、皿１に突起７を自由に設けることができる。その結果として、製造者は、例えば、キャラクター、イラスト、図形、又は、文字等を皿１に装飾できる。
【００３０】
以上、本考案に係る実施形態について説明したが、陶磁器本体２は、皿以外に、スプーン、フォーク、ナイフ、碗、及び、コップ等であっても良い。ここで、例えば、コップや碗等の場合、上記実施例における手で持つ位置は、コップや碗の外側の全域、又は、コップの外側の一部である。ここで、コップの外側の全域とは、コップの外壁面全体であり、コップの外側の一部とは、コップの外壁面の一部である。
また、これら実施形態に限定されるものではなく、考案の趣旨を逸脱しない範囲内において、種々の変更、追加等が可能である。
【符号の説明】
【００３１】
１  皿
２  陶磁器本体
３  器部
４  傾斜縁
５  釉薬層
６  土台
７  突起
【図１】
0003223452.tif 000003
【図２】
0003223452.tif 000004
【図３】
0003223452.tif 000005